(57)【要約】【課題】  簡易な構成で適切な指向性を有するアンテナ装置を実現する。【解決手段】  給電素子と、当該給電素子の主偏波面内にループ面を当該主偏波面と平行にして設置され、給電素子に電磁結合することにより給電素子の放射を再放射するループ状の無給電素子とをアンテナ装置に設け、無給電素子の放射パターンが給電素子の放射パターンを補間するように、当該無給電素子と給電素子との間隔を選定するようにしたことにより、給電素子と無給電素子との合成指向性を適切に改善することができる。【選択図】        図１
2005252876.tif 000002
【特許請求の範囲】
【請求項１】
通信回路から給電される給電素子と、
上記給電素子の主偏波面内に、ループ面を当該主偏波面と平行にして設置され、上記給電素子に電磁結合することにより上記給電素子の放射を再放射するループ状の無給電素子と
を具えることを特徴とするアンテナ装置。
【請求項２】
上記無給電素子は、上記給電素子の上記主偏波面内における主放射方向に設置されている
ことを特徴とする請求項１に記載のアンテナ装置。
【請求項３】
上記無給電素子の放射パターンが上記給電素子の放射パターンを補間するように、当該無給電素子と給電素子との間隔が選定されている
ことを特徴とする請求項１に記載のアンテナ装置。
【請求項４】
上記無給電素子と給電素子との間隔は使用周波数の約１／４波長に選定されている
ことを特徴とする請求項２に記載のアンテナ装置。
【請求項５】
上記無給電素子の周長は使用周波数の約１波長に選定されている
ことを特徴とする請求項１に記載のアンテナ装置。
【請求項６】
通信回路と、
上記通信回路から給電される給電素子と、
上記給電素子の主偏波面内に、ループ面を当該主偏波面と平行にして設置され、上記給電素子に電磁結合することにより上記給電素子の放射を再放射するループ状の無給電素子と
を具えることを特徴とする無線通信装置。
【請求項７】
上記無給電素子は、上記給電素子の上記主偏波面内における主放射方向に設置されている
ことを特徴とする請求項６に記載の無線通信装置。
【請求項８】
上記無給電素子の放射パターンが上記給電素子の放射パターンを補間するように、当該無給電素子と給電素子との間隔が選定されている
ことを特徴とする請求項６に記載の無線通信装置。
【請求項９】
上記無給電素子と給電素子との間隔は使用周波数の約１／４波長に選定されている
ことを特徴とする請求項８に記載の無線通信装置。
【請求項１０】
上記無給電素子の周長は使用周波数の約１波長に選定されている
ことを特徴とする請求項６に記載の無線通信装置。
【発明の詳細な説明】
【技術分野】
【０００１】
本発明はアンテナ装置及び無線通信装置に関し、特に均一な指向性が求められる無線通信装置に適用して好適なものである。
【背景技術】
【０００２】
近年、携帯電話機や無線ＬＡＮ（Local Area Network）端末等の小型無線通信装置が普及している。そして、かかる小型無線通信装置のアンテナとしてチップアンテナが広く用いられている（例えば特許文献１参照）。
【特許文献１】特開２００２−３３４４４６公報
【発明の開示】
【発明が解決しようとする課題】
【０００３】
ここで、アンテナは固有の指向性を有しており、このため小型無線通信装置は、その姿勢の変化に応じて通信可能距離が大きく変化してしまうという問題があった。
【０００４】
またチップアンテナは、主として回路基板のグランドとの位置関係でその指向性が定まるため、小型通信機器のダイバーシティアンテナにチップアンテナを用いた場合、２つのアンテナの間隔を大きく取れないためにアンテナ間の相関を小さくすることが困難になり、これによりダイバーシティアンテナとしての性能が低下してしまうという問題があった。
【０００５】
本発明は以上の点を考慮してなされたもので、簡易な構成で適切な指向性を有するアンテナ装置及び無線通信装置を提案しようとするものである。
【課題を解決するための手段】
【０００６】
かかる課題を解決するため本発明においては、通信回路から給電される給電素子と、給電素子の主偏波面内にループ面を当該主偏波面と平行にして設置され、給電素子に電磁結合することにより給電素子の放射を再放射するループ状の無給電素子とをアンテナ装置に設けた。
【０００７】
そして、無給電素子の放射パターンが給電素子の放射パターンを補間するように、当該無給電素子と給電素子との間隔を選定するようにした。
【０００８】
また本発明においては、通信回路と、当該通信回路から給電される給電素子と、給電素子の主偏波面内にループ面を当該主偏波面と平行にして設置され、給電素子に電磁結合することにより給電素子の放射を再放射するループ状の無給電素子とを無線通信装置に設けた。
【０００９】
そして、無給電素子の放射パターンが給電素子の放射パターンを補間するように、当該給電素子と無給電素子との間隔を選定するようにした。
【００１０】
給電素子と無給電素子との間隔に応じてそれぞれの発生電界に位相差が生じ、この位相差によって給電素子の放射パターンを無給電素子の放射パターンで補間して、給電素子と無給電素子との合成指向性を適切に改善することができる。
【発明の効果】
【００１１】
本発明によれば、給電素子と無給電素子との間隔を適宜選択することにより、簡易な構成で適切な指向性を有するアンテナ装置を実現することができる。
【発明を実施するための最良の形態】
【００１２】
以下図面について、本発明の一実施の形態を詳述する。
【００１３】
（１）通信装置の全体構成
図１において、１は全体として本発明を適用した無線通信装置としての無線ＬＡＮカードを示し、シールドケース２と電波透過性を有するアンテナケース３とが一体となって筐体４を構成している。シールドケース２におけるアンテナケース３側端面にはスリット２Ａが設けられており、筐体４の内周よりもやや小さい略長方形の回路基板５が、シールドケース２内部から当該スリット２Ａを貫通してアンテナケース３内に突出するようにして収納されている。
【００１４】
そして、無線ＬＡＮカード１がノートブック型パーソナルコンピュータ（以下、ノートパソコンと呼ぶ）のカードスロットに装着された状態において、シールドケース２が当該カードスロット内に収まるとともにアンテナケース３がノートパソコンの筐体外に突出するように、シールドケース２及びアンテナケース３の外形寸法が定められている。
【００１５】
シールドケース２内の回路基板５には、通信回路や電源回路、装着されたノートパソコンとの間でデータの送受を行う入出力回路等の各種回路が設けられている。また回路基板５には、アンテナケース３側に突出した領域の一部を除いてグランドパターン（図示せず）が設けられている。そして、グランドパターン及びシールドケース２は電気的に接続されており、一体となってグランドとして動作する。
【００１６】
さらに、回路基板５におけるアンテナケース３側の中程には、略棒状のチップアンテナ７が、回路基板５の短辺と平行に、かつ当該回路基板５の一方の長辺側に寄せて設置されている。この給電素子としてのチップアンテナ７は、図示しない給電線を介して通信回路から給電され、他の無線ＬＡＮカードや無線ＬＡＮハブとの間で送受信を行う。実際上、チップアンテナ７の長さは１２[mm]、幅は２[mm]、高さは１[mm]に選定されている。またチップアンテナ７は、シールドケース２のアンテナケース３側端面から２８[mm]の位置に配置されている。
【００１７】
かかる構成に加えて回路基板５におけるアンテナケース３側の端部近傍には、本願発明の特徴である補正アンテナ８が、その長辺をチップアンテナ７と平行にして設置されており、当該補正アンテナ８とチップアンテナ７とでアンテナ部１０を構成している。
【００１８】
この無給電素子としての補正アンテナ８は、導線を長方形の１重ループ状に形成した１ターンのループアンテナであり、チップアンテナ７の主偏波面内における主放射方向に、そのループ面を当該主偏波面と平行にして設置されている。そして補正アンテナ８はチップアンテナ７に対する無給電素子として動作し、当該チップアンテナ７の指向性を改善するようになされている。
【００１９】
すなわち補正アンテナ８の周長は、当該無線ＬＡＮカード１の使用する無線波の波長λとほぼ等しい値に選定されており、このため補正アンテナ８はチップアンテナ７が形成する磁界Ｈ１（図２（Ｂ））に共振する。これにより当該補正アンテナ８には、逆起電圧ｅ（図２（Ｄ））が発生する。
【００２０】
実際上この無線ＬＡＮカード１はbluetooth（登録商標）方式の無線ＬＡＮカードでなり、使用する無線波の周波数は約２．４４[GHz]であり、この場合の波長λは１２３[mm]となる。一方補正アンテナ８の寸法は、当該補正アンテナ８の周囲状況の合わせこみにより、長さは５３[mm]、幅は１４[mm]、周長は１３４ [mm]に選定されている。
【００２１】
ここで、チップアンテナ７と補正アンテナ８との間隔Ｌは約λ／４（実際上は指向特性の適切化のため３５[mm]）に選定されており、これにより、補正アンテナ８の位置におけるチップアンテナ７による磁界φ１（図２（Ｃ））は、当該チップアンテナ７が形成する磁界Ｈ１（図２（Ｂ））から位相が９０°遅れる。一方、逆起電圧ｅ（図２（Ｂ））の位相は磁界φ１に９０°先行するから、当該逆起電圧ｅとチップアンテナの磁界Ｈ１（図２（Ｄ））とは同位相となる。
【００２２】
この逆起電圧ｅによって、補正アンテナ８には９０°位相が遅れた電流ｉ２（図２（Ｅ））が流れる。これにより補正アンテナ８は、電流ｉ２と同位相の（すなわちチップアンテナ７の電界Ｅ１よりも９０°位相が遅れた）磁界φ２及び電界Ｅ２を形成する（図２（Ｆ）及び図２（Ｇ））。
【００２３】
そして無線ＬＡＮカード１のアンテナ部１０は、チップアンテナ７の電界Ｅ１と補正アンテナ８の電界Ｅ２との合成電界を形成する。ここで補正アンテナ８はループアンテナであることから、その短手方向にも放射が行われる。
【００２４】
かくして補正アンテナ８は、チップアンテナ７に電磁結合して当該チップアンテナ７からの放射を再放射する。
【００２５】
（２）アンテナ部の指向性
次に、本発明によるアンテナ部１０の指向性について説明する。以下に述べる指向性は、図３に示すように、チップアンテナ７から３０ｃｍ離れた場所に受信アンテナ１０１が位置するように設置されたスペクトラムアナライザ１００によって測定（あるいは推定）したものである。
【００２６】
図４（Ａ）に示すように、無線ＬＡＮカード１を設置面（図示せず）に対して平行に配置した状態をセットモードＨ、図４（Ｂ）に示すように、無線ＬＡＮカード１の長手方向を設置面に対して垂直に配置した状態をセットモードＶ１、図４（Ｃ）に示すように、無線ＬＡＮカード１の短手方向を設置面に対して垂直に配置した状態をセットモードＶ２と呼ぶ。これらの各モードにおいて無線ＬＡＮカード１を設置面と平行に３６０°回転させ、このときに検出される電界強度に基づいてアンテナ部１０の指向特性を測定する。
【００２７】
このとき図３に示すようにスペクトラムアナライザ１００も、受信アンテナ１０１を設置面（図示せず）に対して平行かつ無線ＬＡＮカード１に対して直角に配置した受信アンテナモードＨと、設置面に対して垂直に配置した受信アンテナモードＶとを適宜選択して測定する。
【００２８】
まず、補正アンテナ８を取り去り、無線ＬＡＮカード１をセットモードＨ、受信アンテナ１０１を受信アンテナモードＨとした状態（図５（Ａ））で測定した、チップアンテナ７単体での実際の放射パターンを図５（Ｂ）に示す。このように補正アンテナ８を取り去った状態において、チップアンテナ７は無線ＬＡＮカード１の長手方向に対して約６０°傾いた半波長ダイポールアンテナとほぼ等しい略８の字型の放射パターンを示しており、以降、当該チップアンテナ７は半波長ダイポールアンテナと等価であるとする。図６は、チップアンテナ７を半波長ダイポールアンテナとみなした場合の、セットモードＨにおける当該チップアンテナ７が放射する電界Ｅ１の振幅、位相、電界の方向と振幅を４５°毎に示したものである。
【００２９】
続いて、補正アンテナ８を設けた状態におけるアンテナ部１０全体での指向性について説明する。図７は、無線ＬＡＮカード１をセットモードＨ、受信アンテナ１０１を受信アンテナモードＨとした状態（図８（Ａ））における、チップアンテナ７が形成する電界Ｅ１、補正アンテナ８が形成する電界Ｅ２、及び電界Ｅ１と電界Ｅ２とが合成してなるアンテナ部１０全体で形成する合成電界Ｅａを理論的に推定したものである。
【００３０】
上述したように、補正アンテナ８が形成する電界Ｅ２はチップアンテナ７が形成する電界Ｅ１よりも９０°位相が遅れる。これに加えて、チップアンテナ７と補正アンテナ８との間隔Ｌは約λ／４に選定されていることから、０°方向から見るとチップアンテナ７は補正アンテナ８よりも約λ／４だけ遠方に位置することになる。これにより、０°方向における電界Ｅ１と電界Ｅ２は同位相となり、互いに強めあって合成電界Ｅａを形成する。一方、１８０°方向からみるとチップアンテナ７は補正アンテナ８よりも約λ／４だけ近方に位置することになり、これにより１８０°方向における電界Ｅ１と電界Ｅ２は逆位相となる。
【００３１】
さらに、０°〜１８０°の間、及び１８０°〜３６０°（すなわち０°）の間では、角度に応じてチップアンテナ７と補正アンテナ８との距離差も変化し、これに伴って電界Ｅ１及び電界Ｅ２の位相差も変化する。このときの合成電界Ｅａは長楕円の円偏波となる。
【００３２】
このように無線ＬＡＮカード１をセットモードＨ、受信アンテナ１０１を受信アンテナモードＨとした状態（図８（Ａ））における、アンテナ部１０全体の放射パターンを推定したものを図８（Ｂ）に示し、チップアンテナ７のヌル点が補正アンテナ８によって穴埋めされて、アンテナ部１０全体の放射パターンが３６０°にわたってほぼ均一になっている。
【００３３】
一方図９は、無線ＬＡＮカード１をセットモードＶ１、受信アンテナ１０１を受信アンテナモードＨとした状態（図１０（Ａ））における、電界Ｅ１及びＥ２並びに合成電界Ｅａを理論的に推定したものである。この場合、全周３６０°に渡ってチップアンテナ７及び補正アンテナ８は測定点から常に等距離にあり、このため補正アンテナ８の電界Ｅ２は全方向においてチップアンテナ７の電界Ｅ１より９０°位相が遅れる。
【００３４】
このように無線ＬＡＮカード１をセットモードＶ１、受信アンテナ１０１を受信アンテナモードＨとした状態（図１０（Ａ））における、アンテナ部１０全体の放射パターンを推定したものを図１０（Ｂ）に示し、当該放射パターンは８の字型となってヌル点が残る。
【００３５】
また図１１は、無線ＬＡＮカード１をセットモードＶ２、受信アンテナ１０１を受信アンテナモードＶとした状態（図１２（Ａ））における、電界Ｅ１及びＥ２並びに合成電界Ｅａを理論的に推定したものである。この場合、角度に応じてチップアンテナ７と補正アンテナ８の相対距離差も変化し、これに伴って電界Ｅ１及び電界Ｅ２の位相差も同位相〜逆位相に変化する。
【００３６】
このように無線ＬＡＮカード１をセットモードＶ２、受信アンテナ１０１を受信アンテナモードＶとした状態（図１２（Ａ））における、アンテナ部１０全体の放射パターンを推定したものを図１２（Ｂ）に示す。この場合、無線ＬＡＮカード１をセットモードＨ、受信アンテナ１０１を受信アンテナモードＨとしたとき（図８（Ｂ））と類似した特性となり、チップアンテナ７のヌル点が補正アンテナ８によって穴埋めされて、アンテナ部１０全体の放射パターンが３６０°にわたってほぼ均一になっている。
【００３７】
（３）指向特性の実測値
次に、アンテナ部１０の指向特性の実測値を図１３に示す。図１３（Ａ）〜図１３（Ｃ）は、それぞれ補正アンテナ８を取り去った状態（すなわちチップアンテナ７単体）におけるセットモードＨ、セットモードＶ１及びＶ２の放射パターンの実測値を示す。これに対して図１３（Ｄ）〜図１３（Ｆ）は、それぞれ補正アンテナ８を設けたアンテナ部１０全体での、セットモードＨ、セットモードＶ１及びＶ２の放射パターンの実測値を示す。
【００３８】
図１３（Ａ）に示すチップアンテナ７単体・セットモードＨの放射パターンでは、１３５°及び３１５°近傍にヌル点が存在するのに対し、図１３（Ｄ）に示す補正アンテナ８を設けた場合の放射パターンでは、これらのヌル点が解消されていることがわかる。また図１３（Ｄ）に示す放射パターンは、図８（Ｂ）に示す推測値に近似していることがわかる。
【００３９】
同様に、図１３（Ｃ）に示すチップアンテナ７単体・セットモードＶ２の放射パターンでは、２１５°近傍にヌル点が存在するのに対し、図１３（Ｄ）に示す補正アンテナ８を設けた場合の放射パターンでは、このヌル点が解消されていることがわかる。そして図１３（Ｆ）に示す放射パターンは、図１２（Ｂ）に示す推測値に近似していることがわかる。
【００４０】
（４）動作及び効果
以上の構成において、無線ＬＡＮカード１のアンテナ部１０では、給電素子としてのチップアンテナ７から約λ／４離れた位置に、周長が約λのループでなる無給電素子としての補正アンテナ８を、当該チップアンテナ７の主偏波面内における主放射方向に、そのループ面を当該主偏波面に平行に設けた。
【００４１】
補正アンテナ８は、チップアンテナ７が形成する磁界Ｈ１に対して電磁結合して電界Ｅ２を形成する。このとき、補正アンテナ８とチップアンテナ７との間隔が約λ／４に選定されていることから、補正アンテナ８の電界Ｅ２はチップアンテナ７の電界Ｅ１よりも９０°位相が遅れる。
【００４２】
このような位相差を持つように補正アンテナ８とチップアンテナ７との位置関係を選定したことにより、チップアンテナ７の放射パターンに存在するヌル点を補正アンテナ８の放射パターンで穴埋めして、アンテナ部１０全体での指向性を均一にすることができる。
【００４３】
以上の構成によれば、チップアンテナ７に電磁結合して再放射する補正アンテナ８を当該チップアンテナ７に対して適切な位置に配したことにより、チップアンテナ７の放射パターンのヌル点を補正アンテナ８の放射パターンで補正してアンテナ部１０全体の指向性を改善することができる。
【００４４】
（５）他の実施の形態
【００４５】
なお上述の実施の形態においては、放射アンテナとしてチップアンテナ７を用いるようにしたが、本発明はこれに限らず、ダイポールアンテナや逆Ｆアンテナ等、他の種々の形式のアンテナを用いてもよい。
【００４６】
また上述の実施の形態においては、補正アンテナ８として長方形のループアンテナを用いた場合について述べたが、本発明はこれに限らず、周長が約λであれば、円形や正方形等、他の種々の形状のループアンテナを用いてもよい。
【００４７】
なお上述の実施の形態においては、チップアンテナ７と補正アンテナ８との間隔Ｌを約λ／４に選定するようにしたが、本発明はこれに限らず、求める指向性に応じて当該間隔Ｌを他の種々の値に変更してもよい。
【００４８】
例えば図１４は、Ｌ＝λ／２、無線ＬＡＮカード１をセットモードＨ、受信アンテナ１０１を受信アンテナモードＨとした状態（図１５（Ａ））における、電界Ｅ１及びＥ２並びに合成電界Ｅａを理論的に推定したものである。この場合、０°及び１８０°方向で電界Ｅ１と電界Ｅ２とが同位相になるとともに、９０°及び２７０°方向で逆位相になる。この場合のアンテナ部１０全体の放射パターンの推定値を図１５（Ｂ）に示し、９０°及び２７０°方向で若干の落ち込みを有する繭型パターンを示している。
【００４９】
また図１６は、Ｌ＝λ、無線ＬＡＮカード１をセットモードＨ、受信アンテナ１０１を受信アンテナモードＨとした状態（図１７（Ａ））における、電界Ｅ１及びＥ２並びに合成電界Ｅａを理論的に推定したものである。この場合、０°、９０°、１８０°及び２７０°方向で電界Ｅ１と電界Ｅ２とが同位相になる。この場合のアンテナ部１０全体の放射パターンの推定値を図１７（Ｂ）に示し、０°、９０°、１８０°及び２７０°の四方にやや弱い指向性を有する略クローバー型パターンを示している。
【００５０】
このように本発明は、チップアンテナ７と補正アンテナ８との間隔Ｌを変更することによって、チップアンテナ７の電界Ｅ１と補正アンテナ８の電界Ｅ２との位相差を変化させて、アンテナ部１０全体の指向性を様々に変化させることができる。実際上、無線ＬＡＮカード１に求められる指向性、波長λ及び当該無線ＬＡＮカード１の外形寸法との兼ね合いで、チップアンテナ７と補正アンテナ８との間隔Ｌを適切に設定すればよい。
【００５１】
さらに上述の実施の形態においては、本発明を単一のアンテナに適用してその指向特性を改善する場合について述べたが、本発明はこれに限らず、ダイバーシティアンテナに適用することによりダイバーシティ性能を改善することもできる。
【００５２】
上述したように、チップアンテナは半波長ダイポールに等価な指向性を示すが、この指向性の方向は主としてチップアンテナとグランドとの位置関係によって定まる。このため、小型の通信機器に対してチップアンテナを２個設けてダイバーシティアンテナを構成したとしても、チップアンテナ間の距離を大きく取れない（位置が近接する）ことから両者の指向性が類似してしまい、これによりあまりダイバーシティ効果を得られないという問題がある。このような場合、本発明の補助アンテナを用いることにより、２個のチップアンテナそれぞれの指向性に違いを生じさせてダイバーシティ効果を向上することができる。
【００５３】
すなわち、図１との対応部分に同一符号を付して示す図１８において、２０はダイバーシティアンテナ２１を有する無線ＬＡＮカードを示し、回路基板５におけるアンテナケース３側の中程には、第１のチップアンテナ７Ａ及び第２のチップアンテナ７Ｂが、それぞれ回路基板５の短辺と平行に、かつ当該回路基板５の一方の長辺側及び他方の長辺側に寄せて設置されている。
【００５４】
回路基板５における第１のチップアンテナ７Ａ側の端部近傍には、当該第１のチップアンテナ７Ａに対する無給電素子として動作する補正アンテナ８が、その長辺を第１のチップアンテナ７Ａと平行にして設置されており、第１のチップアンテナ７Ａと補正アンテナ８とで第１のアンテナ部１０Ａを構成している。また、第２のチップアンテナ７Ｂは単独で第２のアンテナ部１０Ｂを構成し、第１のアンテナ部１０Ａと第２のアンテナ部１０Ｂとでダイバーシティアンテナ２１を構成している（図１９（Ａ））。
【００５５】
図１９（Ｂ）に示すように、第１のアンテナ部１０Ａは第１のチップアンテナ７Ａと補正アンテナ８との合成電界によって、上述の実施の形態と同様な略円形の放射パターンを示す。これに対して第２のアンテナ部１０Ｂは、第２のチップアンテナ７Ａ単独の略８の字型の放射パターンを示す。
【００５６】
これにより無線通信装置２０は、ダイバーシティアンテナ２１を構成する第１のアンテナ部１０Ａと第２のアンテナ部１０Ｂとの指向性に相違を持たせてダイバーシティ効果を向上することができる。
【００５７】
さらに上述の実施の形態においては、本発明を無線ＬＡＮカードに適用した場合について述べたが、本発明はこれに限らず、例えば無線ＬＡＮハブや携帯電話機等の種々の無線通信装置や、さらには無線通信機能を備える種々の電子機器に本発明を適用することができる。
【００５８】
例えば図２０は、本発明を適用した電子機器としてのノートパソコン３０を示し、本体側筐体３１と表示部側筐体３２とが開閉自在に接続されている。図２０（Ａ）に示すように、本体側筐体３１の上面にはキーボード３３が設けられているとともに、表示部側筐体３２の正面には液晶ディスプレイ等でなる表示部３４が設けられている。
【００５９】
かかる構成に加えてノートパソコン３０には、図２０（Ｂ）に示すように、表示部側筐体３２の背面側にアンテナ部４０が内蔵されている。このアンテナ部４０には、上述したアンテナ部１０（図１）と同様なチップアンテナ７と補正アンテナ８とが、回路基板４１上に配置されている。チップアンテナ７は図示しない通信回路から給電され、無線ＬＡＮカードや無線ＬＡＮハブとの間で送受信を行う。このとき補正アンテナ８はチップアンテナ７に対して電磁結合し、当該チップアンテナ７からの放射を受けて再放射する。
【００６０】
これによりノートパソコン３０のアンテナ部４０は、チップアンテナ７の放射パターンのヌル点を補正アンテナ８の放射パターンで穴埋めして、アンテナ部４０全体の指向性を均一に改善する。このためノートパソコン３０は、その設置方向や表示部側筐体３２の角度がいかなる場合でも、アンテナ部４０の均一な指向性によって、常に良好な通信性能を確保することができる。
【産業上の利用可能性】
【００６１】
本発明は、特に均一な指向性が求められるアンテナ装置及び無線通信装置に適用できる。
【図面の簡単な説明】
【００６２】
【図１】本発明による無線ＬＡＮカードの全体構成を示す略線図である。
【図２】チップアンテナ及び補正アンテナの電界の位相の説明に供する特性曲線図である。
【図３】放射パターンの測定状態を示す略線図である。
【図４】セットモードの説明に供する略線図である。
【図５】補正アンテナ無しの場合の指向特性を示す略線図である。
【図６】チップアンテナ単体の場合の電界を示す略線図である。
【図７】セットモードＨにおけるアンテナ部全体の電界を示す略線図である。
【図８】セットモードＨにおけるアンテナ部全体の放射パターンを示す略線図である。
【図９】セットモードＶ１におけるアンテナ部全体の電界を示す略線図である。
【図１０】セットモードＶ１におけるアンテナ部全体の放射パターンを示す略線図である。
【図１１】セットモードＶ２におけるアンテナ部全体の電界を示す略線図である。
【図１２】セットモードＶ２におけるアンテナ部全体の放射パターンを示す略線図である。
【図１３】放射パターンの実測値を示す特性曲線図である。
【図１４】他の実施の形態によるアンテナ部全体の電界を示す略線図である。
【図１５】他の実施の形態によるアンテナ部全体の放射パターンを示す略線図である。
【図１６】他の実施の形態によるアンテナ部全体の電界を示す略線図である。
【図１７】他の実施の形態によるアンテナ部全体の放射パターンを示す略線図である。
【図１８】他の実施の形態によるダイバーシティアンテナを有する無線ＬＡＮカードの全体構成を示す略線図である。
【図１９】ダイバーシティアンテナの指向特性を示す略線図である。
【図２０】本発明を適用したノートパソコンの全体構成を示す略線図である。
【符号の説明】
【００６３】
１……無線ＬＡＮカード、２……シールドケース、３……アンテナケース、４……筐体、５……回路基板、７、７Ａ、７Ｂ……チップアンテナ、８……補正アンテナ、１０、１０Ａ、１０Ｂ……アンテナ部、２０……無線通信装置、２１……ダイバーシティアンテナ。
【図１】
2005252876.tif 000003
【図２】
2005252876.tif 000004
【図３】
2005252876.tif 000005
【図４】
2005252876.tif 000006
【図５】
2005252876.tif 000007
【図６】
2005252876.tif 000008
【図７】
2005252876.tif 000009
【図８】
2005252876.tif 000010
【図９】
2005252876.tif 000011
【図１０】
2005252876.tif 000012
【図１１】
2005252876.tif 000013
【図１２】
2005252876.tif 000014
【図１３】
2005252876.tif 000015
【図１４】
2005252876.tif 000016
【図１５】
2005252876.tif 000017
【図１６】
2005252876.tif 000018
【図１７】
2005252876.tif 000019
【図１８】
2005252876.tif 000020
【図１９】
2005252876.tif 000021
【図２０】
2005252876.tif 000022